(57)【要約】【課題】  スキージの支持が安定して、印刷品質の良好なクリーム半田印刷装置を提供する。【解決手段】  本発明のクリーム半田印刷装置において、スキージ１は、両端部側から直交する方向に延びる一対の支持部材２と、この支持部材２の箇所に設けられた接触体３を有し、スキージ１は、スキージ１の下部１ｂの第１の接触点Ｐ１と、支持部材２の箇所に設けられた接触体３の第１，第２の接触点Ｐ２，Ｐ３で支持された状態で移動するため、スキージ１の支持が安定し、絶縁基板４とメタルマスク５が湾曲した状態にあっても、スキージ１の両端側の下部１ｂとメタルマスク５との間隔が一定して、印刷品質が良くなる上に、印刷品質のバラツキの小さいものが得られる。【選択図】        図１
2006056151.tif 000002
【特許請求の範囲】
【請求項１】
平板からなり、所定の箇所に貫通孔が設けられて絶縁基板上に載置されたメタルマスクと、このメタルマスクに配設され、前記メタルマスク上のクリーム半田を前記絶縁基板上に印刷するための移動可能なスキージと、このスキージを前記メタルマスク上に付勢する付勢手段とを備え、前記スキージは、前記スキージの幅方向の両端部側から直交する方向に延びる一対の支持部材と、この支持部材の箇所に設けられ、前記メタルマスク上、又は絶縁基板上に接触する接触体を有し、前記スキージの移動時、前記スキージは、少なくとも前記スキージの下部の第１の接触点と、一対の前記支持部材の箇所に設けられた前記接触体の第１，第２の接触点で支持されたことを特徴とするクリーム半田印刷装置。
【請求項２】
一対の前記支持部材は、前記スキージの移動方向の前方に位置した状態で、互いに対向して配置されたことを特徴とする請求項１記載のクリーム半田印刷装置。
【請求項３】
前記接触体は、前記支持部材の下部が前記メタルマスク上、又は前記絶縁基板上に接触する接触部によって形成されたことを特徴とする請求項１、又は２記載のクリーム半田印刷装置。
【請求項４】
前記接触体がローラで形成され、前記ローラは、一対の前記支持部材のそれぞれに回転可能に取り付けられ、前記スキージの移動時、前記ローラが回転しながら前記メタルマスク上、又は前記絶縁基板上に接触するようにしたことを特徴とする請求項１、又は２記載のクリーム半田印刷装置。
【請求項５】
一対の前記ローラは、前記メタルマスク側に向かって間隔が大きくなったハ字状に傾けて配置されたことを特徴とする請求項４記載のクリーム半田印刷装置。
【請求項６】
前記接触体は、印刷領域外の前記メタルマスク上に接触するようにしたことを特徴とする請求項１から５の何れかに記載のクリーム半田印刷装置。
【発明の詳細な説明】
【技術分野】
【０００１】
本発明は回路基板等に使用して好適なクリーム半田印刷装置に関する。
【背景技術】
【０００２】
図６は従来のクリーム半田印刷装置に係る要部断面図、図７は従来のクリーム半田印刷装置に係り、正面から見た概要図であり、次に、従来のクリーム半田印刷装置の構成を図６，図７に基づいて説明すると、従来のクリーム半田印刷装置は、移動可能な平板状のスキージ５１と、所定の箇所に複数の貫通孔５２ａが設けられたメタルマスク５２と、絶縁基板５３を支持するテーブル５４とで構成されている。
【０００３】
次に、従来のクリーム半田印刷装置における印刷方法を説明すると、先ず、絶縁基板５３がテーブル５４上に支持されると共に、この絶縁基板５３上には、メタルマスク５２が載置される。
【０００４】
次に、クリーム半田５５がメタルマスク５２上に供給された状態で、スキージ５１がクリーム半田５５を掻き取りながらメタルマスク５２上を摺動して、クリーム半田５５が絶縁基板５３上に印刷される。（例えば、特許文献１参照）
【０００５】
一般に、絶縁基板５３は、外部環境や経時変化によって、図７に示すように、湾曲した状態となっているため、この湾曲した絶縁基板５３上に載置されたメタルマスク５２も湾曲状態となる。
【０００６】
そして、平板状のスキージ５１の下部５１ａの１つの接触点Ｐのみがメタルマスク５２上に接触（支持）された状態で、スキージ５１が移動するようになるが、このようにスキージ５１が１つの接触点Ｐによる支持状態で移動すると、スキージ５１の支持が不安定で、図７に示すように傾きを生じ、このため、スキージ５１の両端側の下部５１ａにおけるメタルマスク５２との間隔が異なり、その結果、印刷品質が悪くなる上に、印刷品質に大きなバラツキが生じる。
【０００７】
【特許文献１】特開２００２−２００７３６号公報
【発明の開示】
【発明が解決しようとする課題】
【０００８】
従来のクリーム半田印刷装置は、平板状のスキージ５１の下部５１ａの１つの接触点Ｐが湾曲した絶縁基板５３上に載置された湾曲状のメタルマスク５２に接触するようになるため、スキージ５１の支持が不安定で、傾きを生じて、スキージ５１の両端側の下部５１ａにおけるメタルマスク５２との間隔が異なり、その結果、印刷品質が悪くなる上に、印刷品質に大きなバラツキが生じるという問題がある。
【０００９】
そこで、本発明はスキージの支持が安定して、印刷品質の良好なクリーム半田印刷装置を提供することを目的とする。
【課題を解決するための手段】
【００１０】
上記課題を解決するための第１の解決手段として、平板からなり、所定の箇所に貫通孔が設けられて絶縁基板上に載置されたメタルマスクと、このメタルマスクに配設され、前記メタルマスク上のクリーム半田を前記絶縁基板上に印刷するための移動可能なスキージと、このスキージを前記メタルマスク上に付勢する付勢手段とを備え、前記スキージは、前記スキージの幅方向の両端部側から直交する方向に延びる一対の支持部材と、この支持部材の箇所に設けられ、前記メタルマスク上、又は絶縁基板上に接触する接触体を有し、前記スキージの移動時、前記スキージは、少なくとも前記スキージの下部の第１の接触点と、一対の前記支持部材の箇所に設けられた前記接触体の第１，第２の接触点で支持された構成とした。
【００１１】
また、第２の解決手段として、一対の前記支持部材は、前記スキージの移動方向の前方に位置した状態で、互いに対向して配置された構成とした。
また、第３の解決手段として、前記接触体は、前記支持部材の下部が前記メタルマスク上、又は前記絶縁基板上に接触する接触部によって形成された構成とした。
【００１２】
また、第４の解決手段として、前記接触体がローラで形成され、前記ローラは、一対の前記支持部材のそれぞれに回転可能に取り付けられ、前記スキージの移動時、前記ローラが回転しながら前記メタルマスク上、又は前記絶縁基板上に接触するようにした構成とした。
【００１３】
また、第５の解決手段として、一対の前記ローラは、前記メタルマスク側に向かって間隔が大きくなったハ字状に傾けて配置された構成とした。
また、第６の解決手段として、前記接触体は、印刷領域外の前記メタルマスク上に接触するようにした構成とした。
【発明の効果】
【００１４】
本発明のクリーム半田印刷装置は、平板からなり、所定の箇所に貫通孔が設けられて絶縁基板上に載置されたメタルマスクと、このメタルマスクに配設され、メタルマスク上のクリーム半田を絶縁基板上に印刷するための移動可能なスキージと、このスキージをメタルマスク上に付勢する付勢手段とを備え、スキージは、スキージの幅方向の両端部側から直交する方向に延びる一対の支持部材と、この支持部材の箇所に設けられ、メタルマスク上、又は絶縁基板上に接触する接触体を有し、スキージの移動時、スキージは、少なくともスキージの下部の第１の接触点と、一対の支持部材の箇所に設けられた接触体の第１，第２の接触点で支持された構成とした。
即ち、スキージは、スキージの下部の第１の接触点と、一対の支持部材の箇所に設けられた接触体の第１，第２の接触点で支持された状態で移動するため、スキージの支持が安定し、絶縁基板とメタルマスクが湾曲した状態にあっても、スキージの両端側の下部とメタルマスクとの間隔が一定して、印刷品質が良くなる上に、印刷品質のバラツキの小さいものが得られる。
【００１５】
また、一対の支持部材は、スキージの移動方向の前方に位置した状態で、互いに対向して配置されたため、スキージの移動の安定したものが得られる。
【００１６】
また、接触体は、支持部材の下部がメタルマスク上、又は絶縁基板上に接触する接触部によって形成されたため、構成が簡単で、生産性の良好なものが得られる。
【００１７】
また、接触体がローラで形成され、ローラは、一対の支持部材のそれぞれに回転可能に取り付けられ、スキージの移動時、ローラが回転しながらメタルマスク上、又は絶縁基板上に接触するようにしたため、スキージの移動のスムーズなものが得られる。
【００１８】
また、一対のローラは、メタルマスク側に向かって間隔が大きくなったハ字状に傾けて配置されたため、スキージの移動がスムーズで、スキージの移動の安定したものが得られる。
【００１９】
また、接触体は、印刷領域外の前記メタルマスク上に接触するようにしたため、印刷に支障が無く、印刷品質に悪影響を与えないものが得られる。
【発明を実施するための最良の形態】
【００２０】
本発明のクリーム半田印刷装置の図面を説明すると、図１は本発明のクリーム半田印刷装置の第１実施例に係り、正面から見た概要図、図２は本発明のクリーム半田印刷装置の第１実施例に係る平面図、図３は本発明のクリーム半田印刷装置の第２実施例に係り、正面から見た概要図、図４は本発明のクリーム半田印刷装置の第２実施例に係る平面図、図５は本発明のクリーム半田印刷装置の第３実施例に係り、正面から見た概要図である。
【００２１】
次に、本発明のクリーム半田印刷装置の第１実施例の構成を図１，図２に基づいて説明すると、移動可能な平板状のスキージ１は、垂直状態に配置された平板状部１ａと、この平板状部１ａの幅方向の両端側に位置する下部１ｂから直交する方向に突出し、互いに対向して延びる一対の支持部材２と、この支持部材２の箇所に設けられた接触体３を有する。
【００２２】
回路基板を形成するための絶縁基板４は、ここでは図示しないがテーブルに載置されると共に、金属平板からなるメタルマスク５は、所定の箇所に複数の貫通孔（図示せず）が設けられ、このメタルマスク５と、絶縁基板４に載置されている。
【００２３】
このメタルマスク５上には、バネ等の付勢手段６によって押圧された状態でスキージ１が載置されて、少なくとも平板状部１ａの下部１ｂの第１の接触点Ｐ１と、一対の支持部材２の箇所に設けられた２つの接触体３の第１，第２の接触点Ｐ２，Ｐ３が付勢手段６によって弾圧された状態でメタルマスク５上に接触（支持）し、スキージ１の移動は、３点（Ｐ１〜Ｐ３）で支持された状態で、移動するようになっている。
【００２４】
そして、スキージ１に設けられた支持部材２は、スキージ１の移動方向Ａの前方に配置され、支持部材２がスキージ１よりも前方に位置して、支持部材２の箇所に設けられた接触体３によって、メタルマスク５の前方が押さえられながら、スキージ１は、メタルマスク５上に供給されたクリーム半田７を掻き取るようになっている。
【００２５】
また、この第１実施例において、接触体３は、支持部材２がメタルマスク５に直接、接触する接触部によって形成されると共に、この接触体３は、印刷領域外の位置を移動するようになっている。
【００２６】
なお、上記実施例では、接触体３がメタルマスク５上を移動するようにしたが、接触体３が絶縁基板４上を移動するようにしても良い。
【００２７】
次に、本発明のクリーム半田印刷装置における印刷方法を説明すると、先ず、絶縁基板４がテーブル（図示せず）上に支持されると共に、この絶縁基板４上には、メタルマスク５が載置される。
【００２８】
一般に、絶縁基板４は、外部環境や経時変化によって、図１に示すように、湾曲した状態となっているため、この湾曲した絶縁基板４上に載置されたメタルマスク５も湾曲状態となると共に、メタルマスク５上に載置され、付勢手段６によって弾圧されたスキージ１は、図１，図２に示すように、平板状部１ａの下部１ｂの中央部の一点Ｐ１と、支持部材２の２つの接触体３の第１，第２の接触点Ｐ２，Ｐ３の３点が接触（支持）した状態となる。
【００２９】
そして、スキージ１は、３点支持されると安定した状態で移動すると共に、スキージ１の幅方向の両端側の下部１ａにおけるメタルマスク５との間隔が等しくなり、この状態で、スキージ１がクリーム半田７を掻き取りながらメタルマスク５上を摺動して、クリーム半田７が絶縁基板４上に印刷されるようなっている。
【００３０】
また、図３，図４は本発明のクリーム半田印刷装置の第２実施例を示し、この第２実施例の構成を説明すると、接触体３がローラで形成され、接触体３であるローラが支持部材２に回転可能に軸８支され、スキージ１が移動した時、接触体３であるローラが転がるようにしたものである。
【００３１】
その他の構成は、前記第１実施例と同様の構成を有し、同一部品に同一番号を付し、ここではその説明を省略する。
【００３２】
また、図５は本発明のクリーム半田印刷装置の第３実施例を示し、この第３実施例の構成を説明すると、接触体３であるローラがメタルマスク５側に向かって間隔が大きくなったハ字状に傾（キャンバー）けて配置されたものである。
【００３３】
その他の構成は、前記第２実施例と同様の構成を有し、同一部品に同一番号を付し、ここではその説明を省略する。
【図面の簡単な説明】
【００３４】
【図１】本発明のクリーム半田印刷装置の第１実施例に係り、正面から見た概要図。
【図２】本発明のクリーム半田印刷装置の第１実施例に係る平面図。
【図３】本発明のクリーム半田印刷装置の第２実施例に係り、正面から見た概要図。
【図４】本発明のクリーム半田印刷装置の第２実施例に係る平面図。
【図５】本発明のクリーム半田印刷装置の第３実施例に係り、正面から見た概要図。
【図６】従来のクリーム半田印刷装置に係る要部断面図。
【図７】従来のクリーム半田印刷装置に係り、正面から見た概要図。
【符号の説明】
【００３５】
１：スキージ
１ａ：平板状部
１ｂ：下部
２：支持部材
３：接触体
４：絶縁基板
５：メタルマスク
６：付勢手段
７：クリーム半田
８：軸
Ｐ１：第１の接触点
Ｐ２：第２の接触点
Ｐ３：第３の接触点
Ａ：移動方向
【図１】
2006056151.tif 000003
【図２】
2006056151.tif 000004
【図３】
2006056151.tif 000005
【図４】
2006056151.tif 000006
【図５】
2006056151.tif 000007
【図６】
2006056151.tif 000008
【図７】
2006056151.tif 000009